(57)【要約】【課題】ＯＰＷエアバッグ用織物の継ぎ目からのガス漏出を抑制する継ぎ目構造を提供する。【解決手段】織り継ぎ目（１ａ）は２以上の層からなる多層部（６）に囲まれた単層部を持ち、該多層部の各層は該単層部よりも緩い織り構造を含むことを特徴とする、特に乗員拘束システム用ＯＰＷエアバッグ織物の継ぎ目構造である。【選択図】図２
2009536125.tif 000002
【特許請求の範囲】
【請求項１】
特に乗員拘束システムにおけるＯＰＷエアバッグ用織物の継ぎ目構造であって、
織り継ぎ目（１ａ）は２層以上の多層部（６）に囲まれた単層部を持ち、該多層部の各層は該単層部よりも緩い織り構造を含むことを特徴とする、継ぎ目構造。
【請求項２】
前記多層部（６）は、前記単層部と同じ糸数からなることを特徴とする、請求項１に記載の継ぎ目構造。
【請求項３】
前記多層部（６）は、上層部（８）及び下層部（７）を含み、そのいずれもが前記単層部と異なる、緩い織り構造を持つことを特徴とする、請求項１又は２に記載の継ぎ目構造。
【請求項４】
前記上層部（８）は、Ｌ１／１平織りであり、前記下層部（７）はＰ３／３バスケット織りであることを特徴とする、請求項３に記載の継ぎ目構造。
【請求項５】
前記織り継ぎ目は、３層部（６ｂ）に囲まれた単層継ぎ目部を含むことを特徴とする、請求項１に記載の継ぎ目構造。
【請求項６】
前記３層部（６ｂ）は、前記単層部と同じ糸数からなることを特徴とする、請求項５に記載の継ぎ目構造。
【請求項７】
前記３層部（６ｂ）は、上層部（８ｂ）、中層部（７ｂ）及び下層部（１２）を含み、それぞれが前記単層部よりも緩い織り構造を持つことを特徴とする、請求項５又は６に記載の継ぎ目構造。
【請求項８】
前記継ぎ目構造は、前記上層部（８、８ａ、８ｂ）及び下層部（７、７ａ、７ｂ）が複数の箇所で連結されていることを特徴とする、請求項１〜７のいずれか一に記載の継ぎ目構造。
【発明の詳細な説明】
【技術分野】
【０００１】
本発明は、一体製織（One-Piece-Woven, ＯＰＷ）エアバッグ用織物、特に乗員拘束システムのためのエアバッグ用織物の継ぎ目構造に関する。
【背景技術】
【０００２】
今日用いられている一体製織（ＯＰＷ）エアバッグは、例えばフィルムでシールコーティングを施された単層部及び多層部を持つことを特徴とする。単層部には、多層部を合わせて構成するために継ぎ目状の接合部が同時に形成されているが、単層部の製織面からガス漏れの恐れがある。なぜなら、エアバッグをシールするためのコーティングは、上面と底面のみにしか施されておらず、従って側部からのガス漏れを防止できないからである。
【特許文献１】ＤＥ１０３２６７５７Ａ１
【発明の開示】
【発明が解決しようとする課題】
【０００３】
ＤＥ１０３２６７５７Ａ１には、継ぎ目の単層部により緩い織り構造を持たせて、コーティングを織物内部深くまで浸透させた、ＯＰＷ用エアバッグのための織り継ぎ目構造が開示されている。この構造は、製織面の継ぎ目のシールを強化するのに適しているが、それでもなお、エアバッグの安全のために十分な結果は得られない。単層部には、少なくとも３つの層が積層されている。第１の層として上面コーティング、第２の層として単層織り部、第３の層として底面コーティングである。コーティングに挟まれた織物部材はある厚みを持っており、もともとシール機能はないので、コーティング又はフィルムの間の製織面内部の織物繊維の中をガスが通り抜けるのを阻止できない。そのため、漏洩したガスを例えば数段階にもわたって補給する高価な膨張器によってガス損失を補填しない限り、昨今のエアバッグ、特にサイドエアバッグ又は頭部エアバッグに必要な実用期間を確保するのが困難である。ここで「実用期間」とは、車両の衝撃によってエアバッグが膨張してから、乗員を受け止めるだけの十分な膨張をエアバッグが保持している期間である。ガス損失については、必要であれば十分な量のガス発生源を備えることによっても補填することができる。しかしさらなる問題として、継ぎ目から漏洩したガスは車両内部に広がり、乗員に触れることにより、ガス自体の害とその高温による害を与える。
【０００４】
本発明は、従来技術における問題を解消するか、少なくとも低減する継ぎ目構造を提供することを目的とする。
【課題を解決するための手段】
【０００５】
この目的は、２層以上の多層部に囲まれた単層継ぎ目部を持つ織り継ぎ目を特徴とする、請求項１に記載の継ぎ目構造によって達成される。多層部の各層はそれぞれ単層部よりも緩い織り構造を持つ。本発明に係る改良された継ぎ目構造により、ＯＰＷエアバッグの非常に高いシール性能を得ることができる。それは、織物のコーティング（材）を継ぎ目構造領域の織物の非常に深い範囲まで浸透させることができ、互いのコーティング間の空間を最小化することにより、漏出するガス量を大きく低減することができるからである。これにより、必要とする長い実用期間をより容易に達成することができる。
【発明を実施するための最良の形態】
【０００６】
本発明に係る１つの有利な視点において、継ぎ目構造は、多層部が単層部と同じ糸数からなるという特徴を有する。これによりゆがみを最小化した調和のとれた織りという利点が達成される。
【０００７】
本発明に係る他の有利な視点において、継ぎ目構造は、多層部が上層部と下層部を含み、そのそれぞれが緩い織り構造を持つという点で単層部と異なることを特徴とする。これにより、織物の両側からコーティング（材）が浸透する深さを適宜に設定することができる。これは、「抗圧側」つまり膨張ガスの圧力を受ける側（これは一般にエアバッグの内側である）が反対側とは異なる織り構造を必要とする場合に、２層から４層或いはそれ以上の多層構造に移行する構造を持つエアバッグ織物の移行部に特に有利である。
【０００８】
本発明に係るさらなる有利な視点において、継ぎ目構造は、上層部はＬ１／１の平織りであり、下層部はＰ３／３のバスケット織りであることを特徴とする。この構造は、特に織物のゆがみを最小限にするために最も適切な構造であることが判明した。
【０００９】
本発明に係るさらなる有利な視点において、継ぎ目構造は、織り継ぎ目に３層部から囲まれた単層継ぎ目部を含むことを特徴とする。これにより、それぞれごとの織り構造とコーティング（材）の浸透能力をあらかじめ設定できるという利点がある。
【００１０】
本発明に係るさらなる有利な視点において、継ぎ目構造は、この３層部は単層部と同じ糸数からなることを特徴とする。これにより、ゆがみを最小化する調和のとれた織りを形成することができる。
【００１１】
本発明に係るさらなる有利な視点において、継ぎ目構造は、この３層部は上層部、中層部及び下層部からなり、その各層は単層部よりも緩い織り構造であることを特徴とする。この構造は基本的に、それぞれの織り領域に所定の織り構造に必要な要件をセットすることを簡略化しつつ、さまざまな織り構造に変更することを可能にするとともに、コーティングを織物構造により浸透させやすくする。
【００１２】
本発明に係るさらなる有利な視点において、継ぎ目構造は、上層部と下層部とがあちこち複数個所（stellenweise）で連結されていることを特徴とする。その目的は、シール部のコーティング間の織り構造により、エアバッグの層間の室に圧力が充満したときに、層が分離することを防止する、あるいは少なくとも分離しにくくすることである。
【００１３】
ここで新しいことは、本発明に係る継ぎ目のシールの本質は、単層継ぎ目織りのみ又は緩い織り構造のみによってではなく、多層織り構造、あるいは単層織り構造と多層織り構造との組み合わせによって達成されるということである。
【実施例】
【００１４】
以下に本発明の典型的な実施例を図面を参照して簡単に説明する。
【００１５】
図１〜４は、ＯＰＷエアバッグの室部２の一部に隣接する、ＯＰＷエアバッグの織り継ぎ目１の模式断面図を示す。小さな円は図面を垂直方向に貫通する緯糸Ｓの断面であり、黒い太線は図面にほぼ平行に走る経糸Ｋを示す。しかし緯糸と経糸を逆にした織り構造が可能である。
【００１６】
織物をシールするために積層された又は塗布された、上面及び底面のコーティングは３、３ａ、３ｂ、３ｃ、４、４ａ、４ｂ、４ｃ等で示す。各コーティング３、３ａ、３ｂ、３ｃ、４、４ａ、４ｂ、４ｃは、外側は太線で、織物内側は点線で表示されており、従って点線は織物にコーティングの浸透した深さも示している。
【００１７】
図１を参照すると、従来技術による標準的な継ぎ目織りを示している。継ぎ目の密度により、コーティング３、４は織り構造内にわずかしか浸透せず、織り平面内の相対するコーティングの間に空間５を形成している。コーティングに挟まれた織り構造を通って室部Ｉ即ちエアバッグ内部から外部即ちＡ方向へガスが漏出するのは、この空間５のためである。
【００１８】
図２を参照すると、本発明に係る織り継ぎ目１ａのコーティング実施例を示す。その一部は、２層部６を形成している。下層部７は例えばＰ３／３のバスケット織りであり、上層部８は例えば１／１の平織りである。これによって２層部６は緩い織り構造となるため、コーティングは継ぎ目部の深くまで浸透する。言い換れば相対するコーティング間の空間９が図１に比べて小さくなるため、上述の原因によるガス漏出が減少する。
【００１９】
図３を参照すると、図２と基本的に同様であるが、緩い継ぎ目部に追加の連結部１０があるところが異なっている。これにより、層部７ａ、８ａ間の高密度部１１のコーティング間の織り構造により強められた室圧力によって層部７ａ、８ａが分離することを抑制し、さらには防止できる。
【００２０】
図４を参照すると、緩い継ぎ目部６ｂが、上層部８ｂ、中層部７ｂ、及び下層部１２からなるさらに緩い３層構造を形成している。これにより、織り構造内にコーティングがさらに浸透しやすくなっている。
【図面の簡単な説明】
【００２１】
【図１】従来技術の標準的継ぎ目織り構造の模式断面図である。
【図２】本発明の一実施例に係る、継ぎ目織り構造の模式断面図である。
【図３】図２に示す構造とほとんど同じであるが、緩い継ぎ目部が追加連結されている、本発明の一実施例に係る、継ぎ目織り構造の模式断面図である。
【図４】緩い継ぎ目部が、３層継ぎ目構造となってさらに緩く構成されている継ぎ目を含む、本発明の一実施例に係る、継ぎ目織り構造の模式断面図である。
【符号の説明】
【００２２】
１、１ａ  織り継ぎ目
２  室部
３、３ａ、３ｂ、３ｃ  コーティング
４、４ａ、４ｂ、４ｃ  コーティング
５  空間
６、６ａ  ２層部
６ｂ  緩い継ぎ目部（３層部）
７  下層部
７ａ  層部
７ｂ  上層部
８  上層部
８ａ  層部
８ｂ  中層部
９  空間
１０  追加連結部
１１  高密度部
１２  下層部
【図１】
2009536125.tif 000003
【図２】
2009536125.tif 000004
【図３】
2009536125.tif 000005
【図４】
2009536125.tif 000006
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
特に乗員拘束システムにおけるＯＰＷエアバッグ用織物の継ぎ目構造であって、
織り継ぎ目（１ａ）は２層以上の多層部（６）に囲まれた単層部を持ち、
該多層部（６）は、上層部（８）及び下層部（７）を含み、そのいずれもが前記単層部と異なる、緩い織り構造を持つことを特徴とする、継ぎ目構造。
【請求項２】
前記多層部（６）は、前記単層部と同じ糸数からなり、上層部（８）及び下層部（７）を含み、そのいずれもが前記単層部と異なる、緩い織り構造を持つことを特徴とする、請求項１に記載の継ぎ目構造。
【請求項３】
前記上層部（８）は、Ｌ１／１平織りであり、前記下層部（７）はＰ３／３バスケット織りであることを特徴とする、請求項１又は２に記載の継ぎ目構造。
【請求項４】
前記織り継ぎ目は、３層部（６ｂ）に囲まれた単層継ぎ目部を含むことを特徴とする、請求項１〜３のいずれか一に記載の継ぎ目構造。
【請求項５】
前記３層部（６ｂ）は、前記単層部と同じ糸数からなることを特徴とする、請求項４に記載の継ぎ目構造。
【請求項６】
前記３層部（６ｂ）は、上層部（８ｂ）、中層部（７ｂ）及び下層部（１２）を含み、それぞれが前記単層部よりも緩い織り構造を持つことを特徴とする、請求項４又は５に記載の継ぎ目構造。
【請求項７】
前記継ぎ目構造は、前記上層部（８、８ａ、８ｂ）及び下層部（７、７ａ、７ｂ）が複数の箇所で連結されていることを特徴とする、請求項１〜６のいずれか一に記載の継ぎ目構造。
【手続補正２】
【補正対象書類名】明細書
【補正対象項目名】０００５
【補正方法】変更
【補正の内容】
【０００５】
この目的は、２層以上の多層部に囲まれた単層継ぎ目部を持つ織り継ぎ目を特徴とする、請求項１に記載の継ぎ目構造によって達成される。即ち、本発明に係る継ぎ目構造は、特に乗員拘束システムにおけるＯＰＷエアバッグ用織物の継ぎ目構造であって、織り継ぎ目は２層以上の多層部に囲まれた単層部を持ち、該多層部は、上層部及び下層部を含み、そのいずれもが前記単層部と異なる、緩い織り構造を持つことを特徴とする。多層部の各層はそれぞれ単層部よりも緩い織り構造を持つ。本発明に係る改良された継ぎ目構造により、ＯＰＷエアバッグの非常に高いシール性能を得ることができる。それは、織物のコーティング（材）を継ぎ目構造領域の織物の非常に深い範囲まで浸透させることができ、互いのコーティング間の空間を最小化することにより、漏出するガス量を大きく低減することができるからである。これにより、必要とする長い実用期間をより容易に達成することができる。
また、有利な実施形態として、前記多層部は、前記単層部と同じ糸数からなり、上層部及び下層部を含み、そのいずれもが前記単層部と異なる、緩い織り構造を持つことが好ましい。また、前記上層部は、Ｌ１／１平織りであり、前記下層部はＰ３／３バスケット織りであることが好ましい。また、前記織り継ぎ目は、３層部に囲まれた単層継ぎ目部を含むことが好ましい。また、前記３層部は、前記単層部と同じ糸数からなることが好ましい。また、前記３層部は、上層部、中層部及び下層部を含み、それぞれが前記単層部よりも緩い織り構造を持つことが好ましい。また、前記継ぎ目構造は、前記上層部及び下層部が複数の箇所で連結されていることが好ましい。
なお、特許請求の範囲に付記した図面参照符号は専ら理解を助けるためのものであり、図示の態様に限定することを意図するものではない。
【国際調査報告】
2009536125.tif 000007
2009536125.tif 000008
2009536125.tif 000009
2009536125.tif 000010
2009536125.tif 000011
2009536125.tif 000012